【手続補正書】
【提出日】平成19年11月6日(2007.11.6)
【手続補正１】
【補正対象書類名】明細書
【補正対象項目名】特許請求の範囲
【補正方法】変更
【補正の内容】
【特許請求の範囲】
【請求項１】  映像捕獲機構を有するデジタルカメラ（１００）で使用するための映像処理装置において、前記映像処理装置が、
複数の映像データ構造（１３２）を記憶するためのメモリ（１０８）と、
データを外部装置に転送するためのポート（１１０）と、
前記映像捕獲機構から受信された映像データを記憶し且つ処理するための映像管理ロジック（１０６）と、を備えており、前記映像管理ロジックが、
少なくとも２つの異なる画質レベルを含む予め定められた範囲の画質レベルから選択された関連する画質レベルを有する映像データ構造（１３２）を発生するように、前記映像捕獲機構から受信された映像データを処理する初期映像処理手段（２００）、
前記映像データ構造の第１の指定されたものによって以前に占有されたよりも、より少ないスペースを前記メモリ（１０８）で占有する前記第１の指定された映像データ構造のより低い画質のバージョンを形成するための手段を含む、前記第１の指定された映像データ構造の画質レベルを下げるための映像サイズ減少手段（２１２）、および
前記メモリ（１０８）に記憶される一つ以上の映像データ構造を、ポート（１１０）を介して外部装置にダウンロードするための映像ダウンロード手段（２０８）、を備え、
前記メモリ（１０８）に映像データ構造の形態で記憶される映像によって占有されるスペースの量が減少されて、メモリ（１０８）内の追加の映像データ構造の記憶のための余地が作られることを特徴とする映像処理装置。
【請求項２】  前記外部装置からの一つ以上の映像をポート（１１０）を介してメモリ（１０８）にアップロードするための映像アップロード手段（２１０）を更に含む、請求項１記載の映像処理装置。
【請求項３】  映像ビューワ（１１４）、および
前記映像ビューワ（１０４）に表示するために好適な再構成映像を生成するように、メモリ（１０８）に記憶される映像データ構造のうちのある指定されたものを処理する映像再構成手段（２０２）を更に含む、請求項１記載の映像処理装置。
【請求項４】  前記映像データ構造（１３２）の各々が、少なくとも一つのビット平面に関する映像変換データが、他のビット平面に関する映像変換データとは区別された映像データ構造の部分に記憶されるように、ビット平面ベースで編成された映像変換データを含み、
前記映像サイズ減少手段が、少なくとも一つのビット平面に関する映像変換データを除く映像データ構造の一部分を抽出し、前記映像データ構造を、前記抽出された部分を含む映像データ構造に置き替えるための手段を含む、請求項１記載の映像処理装置。
【請求項５】  少なくとも一つの変換層に関する映像変換データが、他の変換層に関する映像変換データとは区別された映像データ構造の部分に記憶されるように、前記映像データ構造（１３２）の部分集合の各々が、変換層ベースで編成された映像変換データを含み、
前記第１の指定されたデータ構造が前記映像データ構造の部分集合のメンバーである時に、前記映像サイズ減少手段が動作し、少なくとも一つの変換層に関する映像変換データを除いた前記第１の指定された映像データ構造の一部分を抽出し、前記第１の指定された映像データ構造を、前記抽出された部分を含む映像データ構造に置き替える手段を含む、請求項１記載の映像処理装置。
【請求項６】  前記映像管理ロジックが（１０６）が、メモリ（１０８）に結合していて、映像捕獲機構から受信された映像データを記憶し且つ処理するための命令を含む映像管理手順を実行するように適合されている、請求項１記載の装置。
【請求項７】  前記メモリには、取り外し可能なカード上の固定の記憶量を有するフラッシュメモリが含まれる、請求項１記載の装置。
【請求項８】  デジタルカメラであって、
映像捕獲機構（１０２）と、
映像データ構造が記憶されるメモリ（１０８）と、
外部装置にデータを転送するためのポート（１１０）と、
前記映像捕獲機構から受信した映像データを記憶し且つ処理するための映像管理ロジック（１０６）、を含み、前記映像管理ロジックが、
前記映像捕獲機構から受信した映像データを処理し、少なくとも２つの異なる画質レベルを含む好適な範囲の映像品質レベルから選択された関連する画質レベルを有する映像データ構造（１３２）を発生するための初期映像処理手段（２００）、
第１の指定された映像データ構造の画質レベルを低下し、前記第１の指定された映像データ構造によって以前に占有されたよりもより狭いスペースを前記メモリで占有する前記第１の指定された映像データ構造のより低い画質バージョンを形成するための手段を含む、映像サイズ減少手段（２１２）、および
前記メモリ（１０８）に記憶される映像データ構造の一つ以上を、ポート（１１０）を介して、外部装置にダウンロードするための映像ダウントロード手段（２０８）を含み、
前記メモリ（１０８）に映像データ構造の形式で記憶される映像によって占有されるスペースの量が減少されて、前記メモリ（１０８）に追加の映像データ構造記憶用の余地が作られることを特徴とするデジタルカメラ。
【請求項９】  外部装置からの一つ以上の映像をポート（１１０）を介して前記メモリ（１０８）にアップロードするための映像アップロード手段（２１０）を更に含む、請求項８記載のデジタルカメラ。
【請求項１０】  映像ビューワ（１１４）、
前記メモリ（１０８）に記憶される映像データ構造の指定されたものを処理して、映像ビューワ（１１４）に表示するために好適な再構成映像を発生するための映像再構成手段（２０２）を更に含む、請求項８記載のデジタルカメラ。
【請求項１１】  少なくとも一つのビット平面に関する映像変換データが、他のビット平面に関する映像変換データとは区別された映像データ構造の部分に記憶されるようにビット平面ベースで編成された映像変換データを、前記映像データ構造（１３２）の各々が含み、
前記映像サイズ減少手段が、少なくとも一つのビット平面に関する映像変換データを除いた映像データ構造の一部分を抽出し、映像データ構造を、前記抽出された部分を含む映像データ構造に置き替えるための手段を含む、請求項８記載のデジタルカメラ。
【請求項１２】  前記映像データ構造（１３２）の部分集合の各々が、少なくとも一つの変換層に関する映像変換データが、他の変換層に関する映像変換データとは区別された映像データ構造の部分に記憶されるように、変換層ベースで編成され、
前記第１の指定されたデータ構造が映像データ構造の部分集合のメンバーである時に作動可能であり、少なくとも一つの変換層に関する映像変換データを除いた前記第１の指定された映像データ構造の一部分を抽出し、前記第１の指定された映像データ構造を、前記抽出された部分を含む映像データ構造に置き替えるための手段を含む、請求項８記載のデジタルカメラ。
【請求項１３】  前記映像管理ロジック（１０６）が前記メモリ（１０８）に結合され、前記映像捕獲機構から受信された映像データを記憶し且つ処理するための命令を含む映像管理手順を実施するように適合されている、請求項８記載のデータプロセッサ。
【請求項１４】  前記メモリには、取り外し可能なメモリカード上の固定の記憶容量を有するフラッシュメモリが含まれる、請求項８記載のデジタルカメラ。
【請求項１５】  デジタルカメラにおいて、
各々が対応する映像を表す複数の映像データ構造（１３２）を、デジタルカメラのメモリ（１０８）に記憶し、各映像データ構造が、対応する映像が映像データ構造にエンコードされる画質レベルに対応する関連する画質レベルを有し、各映像データ構造の画質レベルは、最高画質レベルから最低画質レベルの範囲にわたる少なくとも２つの異なる画質レベルを含む予め定められた範囲の画質レベルのメンバーであるステップと、
指定された映像データ構造におけるデータの部分集合を抽出し、前記指定された映像データ構造によって以前に占有されたよりも狭いスペースを不揮発性メモリ（１０８）で占有する指定された映像データ構造のより低い品質のバージョンを形成することを含み、不揮発性メモリ（１０８）に記憶される映像データ構造の指定された一つのもののサイズを減少するステップと、
前記メモリ（１０８）に記憶される映像データ構造のユーザが指定したものをデジタルカメラ（１１０）のポートを介して外部装置にダウンロードするステップとを含み、
前記メモリ（１０８）で映像データ構造の形態で記憶される映像によって占有されるスペースの量が減少されて、デジタルカメラ（１０８）のメモリの追加の映像データ構造の記憶のための余地が作られることを特徴とする映像処理方法。
【請求項１６】  外部装置から一つ以上の映像を、ポート（１１０）を介して、デジタルカメラ（１０８）のメモリにアップロードすることを更に含む、請求項１５記載の方法。
【請求項１７】  デジタルカメラ（１１４）の映像ビューワに表示するのに好適な再編成された映像を生成するように、前記メモリ（１０８）に記憶された映像データ構造の指定されたものを処理することを更に含む、請求項１５記載の方法。
【請求項１８】  前記映像データ構造（１３２）の各々は、少なくとも一つのビット平面に関する映像変換データが、他のビット平面に関する映像変換データとは区別された映像データ構造の部分に記憶されるように、ビット平面ベースで編成された映像変換データを含み、
前記サイズを減少するステップが、少なくとも一つのビット平面に関する映像変換データを除く映像データ構造の一部分を抽出し、前記不揮発性メモリ（１０８）内の映像データ構造を、抽出された部分を含む映像データ構造に置き替えることを含む、請求項１５記載の方法。
【請求項１９】  前記映像データ構造（１３２）の部分集合の各々が、少なくとも一つの変換層に関する映像変換データが、他の変換層に関する映像変換データとは区別された映像データ構造の部分に記憶されるように、変換層ベースで編成された映像変換データを含み、
前記サイズを減少するステップが、少なくとも一つの変換層に関する映像変換データを除く前記第１の指定された映像データ構造の一部分を抽出し、前記第１の指定された映像データを、前記抽出された部分を含む映像データ構造に置き替えることを含む、請求項１５記載の方法。
【請求項２０】  前記メモリには、取り外し可能なメモリカード上の固定の記憶量を有するフラッシュメモリが含まれる、請求項１１記載の方法。